【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
メディアコンテンツへのアクセスを提供するための方法であって、
ネットワークを介して第１のユーザ機器に連結された遠隔サーバ上に第１のユーザ機器に格納されたメディアコンテンツをミラーリングするステップと、
該遠隔サーバ上において、該ミラーリングされたメディアコンテンツのコピーを第２のユーザ機器のために適切なメディアコンテンツフォーマットにトランスコードするステップと、
該ミラーリングされ、トランスコードされたメディアコンテンツを該第２のユーザ機器に提供するステップと、
該メディアコンテンツにアクセスするために、該第１のユーザ機器によって受信されたユーザ入力に応答して、該第１のユーザ機器から該メディアコンテンツを再生するステップと、
該メディアコンテンツにアクセスするために、該第２のユーザ機器によって受信されたユーザ入力に応答して、該ミラーリングされ、トランスコードされたメディアコンテンツを該第２のユーザ機器上で再生するステップと
を包含する、方法。
【請求項２】
前記ミラーリングされたメディアコンテンツのコピーをトランスコードするステップは、前記メディアコンテンツにアクセスするために、前記第２のユーザ機器によって受信されたユーザ入力に応答して、前記ミラーリングされたメディアコンテンツのコピーをトランスコードするステップを包含する、請求項１に記載の方法。
【請求項３】
前記ミラーリングされ、トランスコードされたメディアコンテンツを前記第２のユーザ機器に提供するステップは、前記メディアコンテンツにアクセスするために、前記第２のユーザ機器によって受信されたユーザ入力に応答して、前記ミラーリングされ、トランスコードされたメディアコンテンツを該第２のユーザ機器に提供するステップを包含する、請求項１に記載の方法。
【請求項４】
前記第１のユーザ機器は、モバイルユーザデバイスであって、前記第２のユーザ機器は、設置機器である、請求項１に記載の方法。
【請求項５】
前記ミラーリングされ、トランスコードされたメディアコンテンツを前記設置機器に自動的に提供するステップをさらに包含する、請求項４に記載の方法。
【請求項６】
ユーザ決定スケジュールに基づいて、前記ミラーリングされ、トランスコードされたメディアコンテンツを前記設置機器に自動的に提供するステップをさらに包含する、請求項４に記載の方法。
【請求項７】
前記第１のユーザ機器は、設置機器であって、前記第２のユーザ機器は、モバイルユーザデバイスである、請求項１に記載の方法。
【請求項８】
前記第１のユーザ機器は、ホームネットワーク内にあって、前記第２のユーザ機器は、ホームネットワーク外にある、請求項１に記載の方法。
【請求項９】
前記第１のユーザ機器および前記第２のユーザ機器のうちの１つは、携帯電話、ラップトップコンピュータ、携帯端末、ハンドヘルドコンピュータ、携帯用テレビシステム、および自動車テレビシステム、携帯用メディアプレイヤ、およびそれらの任意の組み合わせから成る群より選択される、モバイルユーザデバイスである、請求項１に記載の方法。
【請求項１０】
前記メディアコンテンツは、ビデオコンテンツ、オーディオコンテンツ、写真、音声メッセージ、マルチメディアコンテンツ、およびそれらの任意の組み合わせから成る群から選択される、請求項１に記載の方法。
【請求項１１】
前記第１のユーザ機器および前記第２のユーザ機器のうちの１つは、パーソナルコンピュータ、セットトップボックス、デジタルビデオレコーダ、光ディスクレコーダ、デジタルカメラ、家庭用電話、ラップトップコンピュータ、携帯端末、ハンドヘルドコンピュータ、メディアプレイヤ、およびそれらの任意の組み合わせから成る群から選択されるユーザ機器である、請求項１に記載の方法。
【請求項１２】
前記第１のユーザ機器は、双方向メディアガイダンスアプリケーションを利用して、前記メディアコンテンツにアクセスする、請求項１に記載の方法。
【請求項１３】
前記第２のユーザ機器は、双方向メディアガイダンスアプリケーションを使用して、前記メディアコンテンツにアクセスする、請求項１に記載の方法。
【請求項１４】
前記遠隔サーバによって、前記ミラーリングされたメディアコンテンツのコピーをトランスコードするステップと、前記ミラーリングされ、トランスコードされたメディアコンテンツを前記第２のユーザ機器に提供するステップは、リアルタイムで行なわれる、請求項１に記載の方法。
【請求項１５】
前記遠隔サーバ上にミラーリングされるメディアコンテンツのユーザ選択を受信するステップをさらに包含する、請求項１に記載の方法。
【請求項１６】
前記遠隔サーバ上にミラーリングされるメディアコンテンツのユーザ選択を受信するステップは、前記第１のユーザ機器上のストレージドライブのユーザ指定を受信するステップを包含し、
前記第１のユーザ機器上に格納されたメディアコンテンツをミラーリングするステップは、該指定されたストレージドライブ上に格納されたメディアコンテンツを自動的にミラーリングするステップを包含する、
請求項１５に記載の方法。
【請求項１７】
前記遠隔サーバ上にミラーリングされるメディアコンテンツのユーザ選択を受信するステップは、メディアコンテンツフォーマットのユーザ指定を受信するステップを包含し、
前記第１のユーザ機器上に格納されたメディアコンテンツをミラーリングするステップは、前記第１のユーザ機器上の該指定されたメディアコンテンツフォーマットで格納されたメディアコンテンツを自動的にミラーリングするステップを包含する、
請求項１５に記載の方法。
【請求項１８】
前記メディアコンテンツは、前記第１のユーザ機器上のテレビ番組シリーズの録画である、請求項１に記載の方法。
【請求項１９】
前記第１のユーザ機器は、セットトップボックスである、請求項１に記載の方法。
【手続補正２】
【補正対象書類名】明細書
【補正対象項目名】００１５
【補正方法】変更
【補正の内容】
【００１５】
本発明の上述および他の目的および利点は、添付図面と併せて、以下の発明を実施するための形態を考慮することによって、明白となるであろう（全体を通して、同一参照文字は、同一部品を指す）。
例えば、本発明は以下の項目を提供する。
（項目１）
メディアコンテンツへのアクセスを提供するための方法であって、
ネットワークを介して第１のユーザ機器に連結された遠隔サーバ上に第１のユーザ機器に格納されたメディアコンテンツをミラーリングするステップと、
該遠隔サーバ上において、該ミラーリングされたメディアコンテンツのコピーを第２のユーザ機器のために適切なメディアコンテンツフォーマットにトランスコードするステップと、
該ミラーリングされ、トランスコードされたメディアコンテンツを該第２のユーザ機器に提供するステップと、
該メディアコンテンツにアクセスするために、該第１のユーザ機器によって受信されたユーザ入力に応答して、該第１のユーザ機器から該メディアコンテンツを再生するステップと、
該メディアコンテンツにアクセスするために、該第２のユーザ機器によって受信されたユーザ入力に応答して、該ミラーリングされ、トランスコードされたメディアコンテンツを該第２のユーザ機器上で再生するステップと
を包含する、方法。
（項目２）
上記ミラーリングされたメディアコンテンツのコピーをトランスコードするステップは、上記メディアコンテンツにアクセスするために、上記第２のユーザ機器によって受信されたユーザ入力に応答して、上記ミラーリングされたメディアコンテンツのコピーをトランスコードするステップを包含する、項目１に記載の方法。
（項目３）
上記ミラーリングされ、トランスコードされたメディアコンテンツを上記第２のユーザ機器に提供するステップは、上記メディアコンテンツにアクセスするために、上記第２のユーザ機器によって受信されたユーザ入力に応答して、上記ミラーリングされ、トランスコードされたメディアコンテンツを該第２のユーザ機器に提供するステップを包含する、項目１に記載の方法。
（項目４）
上記第１のユーザ機器は、モバイルユーザデバイスであって、上記第２のユーザ機器は、設置機器である、項目１に記載の方法。
（項目５）
上記ミラーリングされ、トランスコードされたメディアコンテンツを上記設置機器に自動的に提供するステップをさらに包含する、項目４に記載の方法。
（項目６）
ユーザ決定スケジュールに基づいて、上記ミラーリングされ、トランスコードされたメディアコンテンツを上記設置機器に自動的に提供するステップをさらに包含する、項目４に記載の方法。
（項目７）
上記第１のユーザ機器は、設置機器であって、上記第２のユーザ機器は、モバイルユーザデバイスである、項目１に記載の方法。
（項目８）
上記第１のユーザ機器は、ホームネットワーク内にあって、上記第２のユーザ機器は、ホームネットワーク外にある、項目１に記載の方法。
（項目９）
上記第１のユーザ機器および上記第２のユーザ機器のうちの１つは、携帯電話、ラップトップコンピュータ、携帯端末、ハンドヘルドコンピュータ、携帯用テレビシステム、および自動車テレビシステム、携帯用メディアプレイヤ、およびそれらの任意の組み合わせから成る群より選択される、モバイルユーザデバイスである、項目１に記載の方法。
（項目１０）
上記メディアコンテンツは、ビデオコンテンツ、オーディオコンテンツ、写真、音声メッセージ、マルチメディアコンテンツ、およびそれらの任意の組み合わせから成る群から選択される、項目１に記載の方法。
（項目１１）
上記第１のユーザ機器および上記第２のユーザ機器のうちの１つは、パーソナルコンピュータ、セットトップボックス、デジタルビデオレコーダ、光ディスクレコーダ、デジタルカメラ、家庭用電話、ラップトップコンピュータ、携帯端末、ハンドヘルドコンピュータ、メディアプレイヤ、およびそれらの任意の組み合わせから成る群から選択されるユーザ機器である、項目１に記載の方法。
（項目１２）
上記第１のユーザ機器は、双方向メディアガイダンスアプリケーションを利用して、上記メディアコンテンツにアクセスする、項目１に記載の方法。
（項目１３）
上記第２のユーザ機器は、双方向メディアガイダンスアプリケーションを使用して、上記メディアコンテンツにアクセスする、項目１に記載の方法。
（項目１４）
上記遠隔サーバによって、上記ミラーリングされたメディアコンテンツのコピーをトランスコードするステップと、上記ミラーリングされ、トランスコードされたメディアコンテンツを上記第２のユーザ機器に提供するステップは、リアルタイムで行なわれる、項目１に記載の方法。
（項目１５）
上記遠隔サーバ上にミラーリングされるメディアコンテンツのユーザ選択を受信するステップをさらに包含する、項目１に記載の方法。
（項目１６）
上記遠隔サーバ上にミラーリングされるメディアコンテンツのユーザ選択を受信するステップは、上記第１のユーザ機器上のストレージドライブのユーザ指定を受信するステップを包含し、
上記第１のユーザ機器上に格納されたメディアコンテンツをミラーリングするステップは、該指定されたストレージドライブ上に格納されたメディアコンテンツを自動的にミラーリングするステップを包含する、
項目１５に記載の方法。
（項目１７）
上記遠隔サーバ上にミラーリングされるメディアコンテンツのユーザ選択を受信するステップは、メディアコンテンツフォーマットのユーザ指定を受信するステップを包含し、
上記第１のユーザ機器上に格納されたメディアコンテンツをミラーリングするステップは、上記第１のユーザ機器上の該指定されたメディアコンテンツフォーマットで格納されたメディアコンテンツを自動的にミラーリングするステップを包含する、
項目１５に記載の方法。
（項目１８）
上記メディアコンテンツは、上記第１のユーザ機器上のテレビ番組シリーズの録画である、項目１に記載の方法。
（項目１９）
上記第１のユーザ機器は、セットトップボックスである、項目１に記載の方法。
（項目２０）
モバイルユーザデバイスにメディアコンテンツへのアクセスを提供するための方法であって、
ホームネットワーク内のユーザ機器上に第１のフォーマットで格納されたメディアコンテンツに対する該モバイルユーザデバイスからの要求を受信するステップと、
ミラーリングされたメディアコンテンツのコピーを格納している遠隔サーバによって、該ミラーリングされたメディアコンテンツのコピーを受信するステップであって、該遠隔サーバは、該ホームネットワーク外にある、ステップと、
該ミラーリングされたコピーを該モバイルユーザデバイスのために適切な該メディアコンテンツの第２のフォーマットにトランスコードするステップと、
該メディアコンテンツのトランスコードされ、ミラーリングされたコピーを該モバイルユーザデバイスに該第２のフォーマットで提供するステップと
を包含する、方法。
（項目２１）
上記モバイルユーザデバイスの能力に基づいて、複数のフォーマットから上記第２のフォーマットを選択するステップをさらに含む、項目２０に記載の方法。
（項目２２）
上記ミラーリングされたメディアコンテンツのコピーをトランスコードするステップは、上記メディアコンテンツに対する上記要求が上記モバイルユーザデバイスから受信された後、上記ミラーリングされたコピーをトランスコードするステップを包含する、項目２０に記載の方法。
（項目２３）
上記ミラーリングされたメディアコンテンツのコピーをトランスコードするステップは、上記メディアコンテンツに対する上記要求が上記モバイルユーザデバイスから受信される前に、上記ミラーリングされたコピーをトランスコードするステップを包含する、項目２０に記載の方法。
（項目２４）
上記メディアコンテンツのトランスコードされ、ミラーリングされたコピーを上記モバイルユーザデバイス上に格納するステップをさらに包含する、項目２０に記載の方法。
（項目２５）
上記遠隔サーバは、第１の遠隔サーバであって、
上記ミラーリングされたメディアコンテンツのコピーをトランスコードするステップは、上記ミラーリングされたメディアコンテンツのコピーを第２の遠隔サーバ上でトランスコードするステップを包含し、
上記メディアコンテンツのミラーリングされ、トランスコードされたコピーを上記モバイルデバイスに提供するステップは、上記メディアコンテンツのミラーリングされ、トランスコードされたコピーを該第２の遠隔サーバから該モバイルユーザデバイスに提供するステップを包含する、
項目２０に記載の方法。
（項目２６）
上記モバイルユーザデバイスは、上記ホームネットワーク外にある、項目２０に記載の方法。
（項目２７）
上記モバイルユーザデバイスは、携帯電話、ラップトップコンピュータ、携帯端末、ハンドヘルドコンピュータ、携帯用テレビシステム、自動車テレビシステム、携帯用メディアプレイヤ、およびそれらの任意の組み合わせから成る群より選択される、項目２０に記載の方法。
（項目２８）
上記メディアコンテンツは、ビデオコンテンツ、オーディオコンテンツ、写真、音声メッセージ、マルチメディアコンテンツ、およびそれらの任意の組み合わせから成る群から選択される、項目２０に記載の方法。
（項目２９）
上記ユーザ機器は、パーソナルコンピュータ、セットトップボックス、デジタルビデオレコーダ、光ディスクレコーダ、デジタルカメラ、家庭用電話、ラップトップコンピュータ、携帯端末、ハンドヘルドコンピュータ、メディアプレイヤ、およびそれらの任意の組み合わせから成る群から選択される、項目２０に記載の方法。
（項目３０）
上記遠隔サーバは、該遠隔サーバ上に常駐する第１のアプリケーションおよび該遠隔サーバ上に常駐する第２のアプリケーションを備え、
上記ミラーリングされたメディアコンテンツのコピーを受信するステップは、該第１のアプリケーションから上記ミラーリングされたメディアコンテンツのコピーを受信するステップを包含し、
上記ミラーリングされたメディアコンテンツのコピーをトランスコードするステップは、該第２のアプリケーション上で該ミラーリングされたメディアコンテンツのコピーをトランスコードするステップを包含する、
項目２０に記載の方法。
（項目３１）
上記遠隔サーバ上に上記ユーザ機器に格納されたメディアコンテンツをミラーリングするステップをさらに備え、該遠隔サーバは、ネットワークを介して、該ユーザ機器に連結される、項目２０に記載の方法。
（項目３２）
上記ユーザ機器上に格納されたメディアコンテンツをミラーリングするステップは、メディアコンテンツを更新するために、上記ユーザ機器を周期的にポーリングするステップを包含する、項目３１に記載の方法。
（項目３３）
上記ユーザ機器上に格納されたメディアコンテンツをミラーリングするステップは、ユーザ決定スケジュールに従って、上記ユーザ機器上に格納されたメディアコンテンツをミラーリングするステップを包含する、項目３１に記載の方法。
（項目３４）
双方向メディアガイダンスアプリケーションから上記ユーザ決定スケジュールのユーザ選択を受信するステップをさらに包含する、項目３３に記載の方法。
（項目３５）
上記ユーザ機器からの上記メディアコンテンツに対する要求の受信に応答して、該メディアコンテンツの上記第１のフォーマットでミラーリングされたコピーを該ユーザ機器に提供するステップをさらに包含する、項目２０に記載の方法。
（項目３６）
上記ユーザ機器から上記メディアコンテンツに対する要求を受信するステップは、該メディアコンテンツがもはや該ユーザ機器上に格納されていない場合のみ、該ユーザ機器から該メディアコンテンツに対する要求を受信するステップを包含する、項目３５に記載の方法。
（項目３７）
上記モバイルユーザデバイスは、双方向メディアガイダンスアプリケーションを利用して、上記メディアコンテンツにアクセスする、項目２０に記載の方法。
（項目３８）
上記ユーザ機器は、双方向メディアガイダンスアプリケーションを利用して、上記メディアコンテンツにアクセスする、項目２０に記載の方法。
（項目３９）
上記ミラーリングされたコピーを上記第２のフォーマットにトランスコードするステップと、上記トランスコードされ、ミラーリングされたコピーを上記モバイルユーザデバイスに提供するステップは、リアルタイムに行なわれる、項目２０に記載の方法。
（項目４０）
上記メディアコンテンツは、テレビ番組シリーズの録画である、項目２０に記載の方法。
（項目４１）
メディアコンテンツへのアクセスを提供するためのシステムであって、
ネットワークを介して該第１のユーザ機器に連結された遠隔サーバ上に第１のユーザ機器に格納されたメディアコンテンツをミラーリングし、
該遠隔サーバ上において、該ミラーリングされたメディアコンテンツのコピーを第２のユーザ機器のために適切なメディアコンテンツフォーマットにトランスコードし、
該ミラーリングされ、トランスコードされたメディアコンテンツを該第２のユーザ機器に提供し、
該第１のユーザ機器に、該メディアコンテンツにアクセスするために、該第１のユーザ機器によって受信されたユーザ入力に応答して、該第１のユーザ機器からの該メディアコンテンツを再生させ、
該第２のユーザ機器に、該メディアコンテンツにアクセスするために、該第２のユーザ機器によって受信されたユーザ入力に応答して、ミラーリングされ、トランスコードされたメディアコンテンツを該第２のユーザ機器上で再生させる
ように構成された、プロセッサ
を備える、システム。
（項目４２）
上記プロセッサは、上記メディアコンテンツにアクセスするために、上記第２のユーザ機器によって受信されたユーザ入力に応答して、上記ミラーリングされたメディアコンテンツのコピーをトランスコードするように構成される、項目４１に記載のシステム。
（項目４３）
上記プロセッサは、上記メディアコンテンツにアクセスするために、上記第２のユーザ機器によって受信されたユーザ入力に応答して、上記ミラーリングされ、トランスコードされたメディアコンテンツを上記第２のユーザ機器に提供するように構成される、項目４１に記載のシステム。
（項目４４）
上記第１のユーザ機器は、モバイルデバイスであり、上記第２のユーザ機器は、設置機器である、項目４１に記載のシステム。
（項目４５）
上記プロセッサは、上記ミラーリングされ、トランスコードされたメディアコンテンツを上記設置機器に自動的に提供するようにさらに構成される、項目４４に記載のシステム。
（項目４６）
上記プロセッサは、ユーザ決定スケジュールに基づいて、上記ミラーリングされ、トランスコードされたメディアコンテンツを上記設置機器に自動的に提供するようにさらに構成される、項目４４に記載のシステム。
（項目４７）
上記第１のユーザ機器は、設置機器であって、上記第２のユーザ機器は、モバイルユーザデバイスである、項目４１に記載のシステム。
（項目４８）
上記第１のユーザ機器は、ホームネットワーク内にあって、上記第２のユーザ機器は、ホームネットワーク外にある、項目４１に記載のシステム。
（項目４９）
上記第１のユーザ機器および上記第２のユーザ機器のうちの１つは、携帯電話、ラップトップコンピュータ、携帯端末、ハンドヘルドコンピュータ、携帯用テレビシステム、自動車テレビシステム、携帯用メディアプレイヤ、およびそれらの任意の組み合わせから成る群より選択されるモバイルユーザデバイスである、項目４１に記載のシステム。
（項目５０）
上記メディアコンテンツは、ビデオコンテンツ、オーディオコンテンツ、写真、音声メッセージ、マルチメディアコンテンツ、およびそれらの任意の組み合わせから成る群から選択される、項目４１に記載のシステム。
（項目５１）
上記第１のユーザ機器および上記第２のユーザ機器のうちの１つは、パーソナルコンピュータ、セットトップボックス、デジタルビデオレコーダ、光ディスクレコーダ、デジタルカメラ、家庭用電話、ラップトップコンピュータ、携帯端末、ハンドヘルドコンピュータ、メディアプレイヤ、およびそれらの任意の組み合わせから成る群から選択されるユーザ機器である、項目４１に記載のシステム。
（項目５２）
上記第１のユーザ機器は、双方向メディアガイダンスアプリケーションを利用して、上記メディアコンテンツにアクセスする、項目４１に記載のシステム。
（項目５３）
上記第２のユーザ機器は、双方向メディアガイダンスアプリケーションを利用して、上記メディアコンテンツにアクセスする、項目４１に記載のシステム。
（項目５４）
上記プロセッサは、上記遠隔サーバ上に上記ミラーリングされたメディアコンテンツのコピーをトランスコードし、該ミラーリングされ、トランスコードされたメディアコンテンツを上記第２のユーザ機器にリアルタイムで提供するように構成される、項目４１に記載のシステム。
（項目５５）
上記遠隔サーバ上にミラーリングされるメディアコンテンツのユーザ選択を受信する受信機をさらに備える、項目４１に記載のシステム。
（項目５６）
上記ユーザ選択は、上記第１のユーザ機器上のストレージドライブのユーザ指定を備え、上記プロセッサは、該指定されたストレージドライブ上に格納されたメディアコンテンツを自動的にミラーリングするようにさらに構成される、項目５５に記載のシステム。
（項目５７）
上記ユーザ選択は、メディアコンテンツフォーマットのユーザ指定を備え、上記プロセッサは、上記第１のユーザ機器上に該指定されたメディアコンテンツフォーマットで格納されたメディアコンテンツを自動的にミラーリングするように構成される、項目５５に記載のシステム。
（項目５８）
上記メディアコンテンツは、テレビ番組シリーズの録画である、項目４１に記載のシステム。
（項目５９）
上記第１のユーザ機器は、セットトップボックスである、項目４１に記載のシステム。
（項目６０）
モバイルユーザデバイスにメディアコンテンツへのアクセスを提供するためのシステムであって、
ホームネットワーク内のユーザ機器上に第１のフォーマットで格納されたメディアコンテンツに対する該モバイルユーザデバイスからの要求を受信し、
ミラーリングされたメディアコンテンツのコピーを格納している、該ホームネットワーク外にある遠隔サーバによって、該ミラーリングされたメディアコンテンツのコピーを受信し、
該ミラーリングされたメディアコンテンツのコピーを該モバイルユーザデバイスのために適切な該メディアコンテンツの第２のフォーマットにトランスコードし、
該メディアコンテンツのトランスコードされ、ミラーリングされたコピーを該第２のフォーマットで該モバイルユーザデバイスに提供する
ように構成された、プロセッサ
を備える、システム。
（項目６１）
上記プロセッサは、上記モバイルユーザデバイスの能力に基づいて、複数のフォーマットから上記メディアコンテンツの第２のフォーマットを選択するようにさらに構成される、項目６０に記載のシステム。
（項目６２）
上記プロセッサは、上記メディアコンテンツにアクセスするための要求が、上記モバイルユーザデバイスから受信された後、上記ミラーリングされたメディアコンテンツのコピーをトランスコードするように構成される、項目６０に記載のシステム。
（項目６３）
上記プロセッサは、上記メディアコンテンツにアクセスするための要求が、上記モバイルユーザデバイスから受信される前に、上記ミラーリングされたメディアコンテンツのコピーをトランスコードするようにさらに構成される、項目６０に記載のシステム。
（項目６４）
上記メディアコンテンツのトランスコードされ、ミラーリングされたコピーを格納するストレージデバイスをさらに備える、項目６０に記載のシステム。
（項目６５）
上記遠隔サーバは、第１の遠隔サーバであって、上記プロセッサは、
第２の遠隔サーバ上で上記ミラーリングされたメディアコンテンツのコピーをトランスコードし、
上記メディアコンテンツのミラーリングされ、トランスコードされたコピーを該第２の遠隔サーバから上記モバイルユーザデバイスに提供する
ように構成される、項目６０に記載のシステム。
（項目６６）
上記モバイルユーザデバイスは、上記ホームネットワーク外にある、項目６０に記載のシステム。
（項目６７）
上記モバイルユーザデバイスは、携帯電話、ラップトップコンピュータ、携帯端末、ハンドヘルドコンピュータ、携帯用テレビシステム、自動車テレビシステム、携帯用メディアプレイヤ、およびそれらの任意の組み合わせから成る群より選択される、項目６０に記載のシステム。
（項目６８）
上記メディアコンテンツは、ビデオコンテンツ、オーディオコンテンツ、写真、音声メッセージ、マルチメディアコンテンツ、およびそれらの任意の組み合わせから成る群から選択される、項目６０に記載のシステム。
（項目６９）
上記ユーザ機器は、パーソナルコンピュータ、セットトップボックス、デジタルビデオレコーダ、光ディスクレコーダ、デジタルカメラ、家庭用電話、ラップトップコンピュータ、携帯端末、ハンドヘルドコンピュータ、メディアプレイヤ、およびそれらの任意の組み合わせから成る群から選択される、項目６０に記載のシステム。
（項目７０）
上記遠隔サーバは、該遠隔サーバ上に常駐する第１のアプリケーションおよび該遠隔サーバ上に常駐する第２のアプリケーションを備え、上記プロセッサは、
該第１のアプリケーションから上記ミラーリングされたメディアコンテンツのコピーを受信し、
該第２のアプリケーション上で該ミラーリングされたメディアコンテンツのコピーをトランスコードする
ようにさらに構成される、項目６０に記載のシステム。
（項目７１）
上記遠隔サーバは、ネットワークを介して、上記ユーザ機器に連結され、上記プロセッサは、該遠隔サーバ上に上記ユーザ機器に格納されたメディアコンテンツをミラーリングするようにさらに構成される、項目６０に記載のシステム。
（項目７２）
上記プロセッサは、メディアコンテンツを更新するために、上記ユーザ機器を周期的にポーリングするようにさらに構成される、項目７１に記載のシステム。
（項目７３）
上記プロセッサは、ユーザ決定スケジュールに従って、上記メディアコンテンツをミラーリングするようにさらに構成される、項目７１に記載のシステム。
（項目７４）
上記プロセッサは、双方向メディアガイダンスアプリケーションから、上記ユーザ決定スケジュールのユーザ選択を受信するようにさらに構成される、項目７３に記載のシステム。
（項目７５）
上記プロセッサは、
上記ユーザ機器から、上記メディアコンテンツにアクセスするためのユーザ入力を受信し、
該ユーザ入力の受信に応答して、上記第１のフォーマットでミラーリングされた該メディアコンテンツのコピーを該ユーザ機器に提供する
ようにさらに構成される、項目６０に記載のシステム。
（項目７６）
上記プロセッサは、上記メディアコンテンツがもはや上記ユーザ機器上に格納されていない場合のみ、該ミラーリングされたメディアコンテンツのコピーを該ユーザ機器に提供するように構成される、項目７５に記載のシステム。
（項目７７）
上記モバイルユーザデバイスは、双方向メディアガイダンスアプリケーションを利用して、上記メディアコンテンツにアクセスする、項目６０に記載のシステム。
（項目７８）
上記ユーザ機器は、双方向メディアガイダンスアプリケーションを使用して、上記メディアコンテンツにアクセスする、項目６０に記載のシステム。
（項目７９）
上記プロセッサは、上記ミラーリングされたコピーを上記第２のフォーマットにトランスコードし、該トランスコードされ、ミラーリングされたコピーを上記モバイルユーザデバイスにリアルタイムで提供するようにさらに構成される、項目６０に記載のシステム。
（項目８０）
上記メディアコンテンツは、テレビ番組シリーズの録画である、項目６０に記載のシステム。
（項目８１）
メディアコンテンツへのアクセスを提供するためのシステムであって、
ネットワークを介して該第１のユーザ機器に連結された遠隔サーバ上に第１のユーザ機器に格納されたメディアコンテンツをミラーリングする手段と、
該遠隔サーバ上において、該ミラーリングされたメディアコンテンツのコピーを第２のユーザ機器のために適切なメディアコンテンツフォーマットにトランスコードする手段と、
該ミラーリングされ、トランスコードされたメディアコンテンツを該第２のユーザ機器に提供する手段と、
該メディアコンテンツにアクセスするために、該第１のユーザ機器によって受信されたユーザ入力に応答して、該第１のユーザ機器から該メディアコンテンツを再生する手段と、
該メディアコンテンツにアクセスするために、該第２のユーザ機器によって受信されたユーザ入力に応答して、該第２のユーザ機器上でミラーリングされ、トランスコードされたメディアコンテンツを再生する手段と
を備える、システム。
（項目８２）
上記ミラーリングされたメディアコンテンツのコピーをトランスコードする手段は、上記メディアコンテンツにアクセスするために、上記第２のユーザ機器によって受信されたユーザ入力に応答して、該ミラーリングされたメディアコンテンツのコピーをトランスコードする手段を備える、項目８１に記載のシステム。
（項目８３）
上記ミラーリングされ、トランスコードされたメディアコンテンツを上記第２のユーザ機器に提供する手段は、上記メディアコンテンツにアクセスするために、該第２のユーザ機器によって受信されたユーザ入力に応答して、上記ミラーリングされ、トランスコードされたメディアコンテンツを該第２のユーザ機器に提供する手段を備える、項目８１に記載のシステム。
（項目８４）
上記第１のユーザ機器は、モバイルユーザデバイスであって、上記第２のユーザ機器は、設置機器である、項目８１に記載のシステム。
（項目８５）
上記ミラーリングされ、トランスコードされたメディアコンテンツを上記設置機器に自動的に提供する手段をさらに備える、項目８４に記載のシステム。
（項目８６）
ユーザ決定スケジュールに基づいて、上記ミラーリングされ、トランスコードされたメディアコンテンツを上記設置機器に自動的に提供する手段をさらに備える、項目８４に記載のシステム。
（項目８７）
上記第１のユーザ機器は、設置機器であって、上記第２のユーザ機器は、モバイルユーザデバイスである、項目８１に記載のシステム。
（項目８８）
上記第１のユーザ機器は、ホームネットワーク内にあって、上記第２のユーザ機器はホームネットワーク外ある、項目８１に記載のシステム。
（項目８９）
上記第１のユーザ機器および上記第２のユーザ機器は、携帯電話、ラップトップコンピュータ、携帯端末、ハンドヘルドコンピュータ、携帯用テレビシステム、自動車テレビシステム、携帯用メディアプレイヤ、およびそれらの任意の組み合わせから成る群より選択されるモバイルユーザデバイスである、項目８１に記載のシステム。
（項目９０）
上記メディアコンテンツは、ビデオコンテンツ、オーディオコンテンツ、写真、音声メッセージ、マルチメディアコンテンツ、およびそれらの任意の組み合わせから成る群から選択される、項目８１に記載のシステム。
（項目９１）
上記第１のユーザ機器および上記第２のユーザ機器のうちの１つは、パーソナルコンピュータ、セットトップボックス、デジタルビデオレコーダ、光ディスクレコーダ、デジタルカメラ、家庭用電話、ラップトップコンピュータ、携帯端末、ハンドヘルドコンピュータ、メディアプレイヤ、およびそれらの任意の組み合わせから成る群から選択されるユーザ機器である、項目８１に記載のシステム。
（項目９２）
上記第１のユーザ機器は、双方向メディアガイダンスアプリケーションを利用して、上記メディアコンテンツにアクセスする、項目８１に記載のシステム。
（項目９３）
上記第２のユーザ機器は、双方向メディアガイダンスアプリケーションを利用して、上記メディアコンテンツにアクセスする、項目８１に記載のシステム。
（項目９４）
上記遠隔サーバによって、上記ミラーリングされたメディアコンテンツのコピーをトランスコードし、該ミラーリングされ、トランスコードされたメディアコンテンツを上記第２のユーザ機器に提供する手段は、該遠隔サーバによって、該ミラーリングされたメディアコンテンツのコピーをトランスコードし、該ミラーリングされ、トランスコードされたメディアコンテンツを該第２のユーザ機器にリアルタイムで提供する手段を備える、項目８１に記載のシステム。
（項目９５）
上記遠隔サーバ上にミラーリングされるメディアコンテンツのユーザ選択を受信する手段をさらに備える、項目８１に記載のシステム。
（項目９６）
上記遠隔サーバ上にミラーリングされるメディアコンテンツのユーザ選択を受信する手段は、上記第１のユーザ機器上のストレージドライブのユーザ指定を受信する手段を備え、
該第１のユーザ機器上に格納されるメディアコンテンツをミラーリングする手段は、該指定されたストレージドライブに格納されたメディアコンテンツを自動的にミラーリングする手段を備える、
項目９５に記載のシステム。
（項目９７）
上記遠隔サーバ上にミラーリングされるメディアコンテンツのユーザ選択を受信する手段は、メディアコンテンツフォーマットのユーザ指定を受信する手段を備え、
上記第１のユーザ機器上に格納されたメディアコンテンツをミラーリングする手段は、上記第１のユーザ機器上に該指定されたメディアコンテンツフォーマットで格納されたメディアコンテンツを自動的にミラーリングする手段を備える、
項目９５に記載のシステム。
（項目９８）
上記メディアコンテンツは、上記第１のユーザ機器上のテレビ番組シリーズの録画である、項目８１に記載のシステム。
（項目９９）
上記第１のユーザ機器は、セットトップボックスである、項目８１に記載のシステム。
（項目１００）
モバイルユーザデバイスにメディアコンテンツへのアクセスを提供するためのシステムであって、
ホームネットワーク内のユーザ機器上に第１のフォーマットで格納されたメディアコンテンツに対する該モバイルユーザデバイスからの要求を受信する手段と、
ミラーリングされたメディアコンテンツのコピーを格納している遠隔サーバによって、該ミラーリングされたメディアコンテンツのコピーを受信する手段であって、該遠隔サーバは、該ホームネットワーク外にある、手段と、
該ミラーリングされたコピーを該モバイルユーザデバイスのために適切な該メディアコンテンツの第２のフォーマットにトランスコードする手段と、
該メディアコンテンツのトランスコードされ、ミラーリングされたコピーを該第２のフォーマットで該モバイルユーザデバイスに提供する手段と
を備える、システム。
（項目１０１）
上記モバイルユーザデバイスの能力に基づいて、複数のフォーマットから上記第２のフォーマットを選択する手段をさらに備える、項目１００に記載のシステム。
（項目１０２）
上記ミラーリングされたメディアコンテンツのコピーをトランスコードする手段は、上記メディアコンテンツに対する上記要求が上記モバイルユーザデバイスから受信された後、該ミラーリングされたコピーをトランスコードする手段を備える、項目１００に記載のシステム。
（項目１０３）
上記ミラーリングされたメディアコンテンツのコピーをトランスコードする手段は、上記メディアコンテンツに対する上記要求が上記モバイルユーザデバイスから受信される前に、該ミラーリングされたメディアコンテンツのコピーをトランスコードする手段を備える、項目１００に記載のシステム。
（項目１０４）
上記メディアコンテンツのトランスコードされ、ミラーリングされたコピーを格納する手段をさらに備える、項目１００に記載のシステム。
（項目１０５）
上記遠隔サーバは、第１の遠隔サーバであって、
上記ミラーリングされたメディアコンテンツのコピーをトランスコードする手段は、第２の遠隔サーバ上で該ミラーリングされたメディアコンテンツのコピーをトランスコードする手段を備え、
上記メディアコンテンツのミラーリングされ、トランスコードされたコピーを上記モバイルデバイスに提供する手段は、該メディアコンテンツのミラーリングされ、トランスコードされたコピーを該第２の遠隔サーバから上記モバイルユーザデバイスに提供する手段を備える、
項目１００に記載のシステム。
（項目１０６）
上記モバイルユーザデバイスは、上記ホームネットワーク外にある、項目１００に記載のシステム。
（項目１０７）
上記モバイルユーザデバイスは、携帯電話、ラップトップコンピュータ、携帯端末、ハンドヘルドコンピュータ、携帯用テレビシステム、自動車テレビシステム、携帯用メディアプレイヤ、およびそれらの任意の組み合わせから成る群より選択される、項目１００に記載のシステム。
（項目１０８）
上記メディアコンテンツは、ビデオコンテンツ、オーディオコンテンツ、写真、音声メッセージ、マルチメディアコンテンツ、およびそれらの任意の組み合わせから成る群から選択される、項目１００に記載のシステム。
（項目１０９）
上記ユーザ機器は、パーソナルコンピュータ、セットトップボックス、デジタルビデオレコーダ、光ディスクレコーダ、デジタルカメラ、家庭用電話、ラップトップコンピュータ、携帯端末、ハンドヘルドコンピュータ、メディアプレイヤ、およびそれらの任意の組み合わせから成る群から選択される、項目１００に記載のシステム。
（項目１１０）
上記遠隔サーバは、該遠隔サーバ上に常駐する第１のアプリケーションおよび該遠隔サーバ上に常駐する第２のアプリケーションを備え、
上記ミラーリングされたメディアコンテンツのコピーを受信する手段は、該第１のアプリケーションから該ミラーリングされたメディアコンテンツのコピーを受信する手段を備え、
上記ミラーリングされたメディアコンテンツのコピーをトランスコードする手段は、該第２のアプリケーション上で該ミラーリングされたメディアコンテンツのコピーをトランスコードする手段を備える、
項目１００に記載のシステム。
（項目１１１）
上記遠隔サーバ上に上記ユーザ機器に格納されたメディアコンテンツをミラーリングする手段をさらに備え、該遠隔サーバは、ネットワークを介して該ユーザ機器に連結される、項目１００に記載のシステム。
（項目１１２）
上記メディアコンテンツをミラーリングする手段は、メディアコンテンツを変更するために、上記ユーザ機器を周期的にポーリングする手段を備える、項目１１１に記載のシステム。
（項目１１３）
上記メディアコンテンツをミラーリングする手段は、ユーザ決定スケジュールに従って、上記ユーザ機器上に格納されたメディアコンテンツをミラーリングする手段を備える、項目１１１に記載のシステム。
（項目１１４）
双方向メディアガイダンスアプリケーションから上記ユーザ決定スケジュールのユーザ選択を受信する手段をさらに備える、項目１１３に記載のシステム。
（項目１１５）
上記メディアコンテンツへのアクセスのために、上記ユーザ機器から要求を受信する手段と、
該ユーザ機器からの該メディアコンテンツへのアクセスのための要求の受信に応答して、ミラーリングされた該メディアコンテンツのコピーを該第１のフォーマットで該ユーザ機器に提供する手段と
をさらに備える、項目１００に記載の方法。
（項目１１６）
上記ユーザ機器から上記メディアコンテンツに対する要求を受信する手段は、該メディアコンテンツがもはや該ユーザ機器上に格納されていない場合のみ、該ユーザ機器から上記メディアコンテンツに対する要求を受信する手段を備える、項目１１５に記載のシステム。
（項目１１７）
上記モバイルユーザデバイスは、双方向メディアガイダンスアプリケーションを利用して、上記メディアコンテンツにアクセスする、項目１００に記載のシステム。
（項目１１８）
上記ユーザ機器は、双方向メディアガイダンスアプリケーションを利用して、上記メディアコンテンツにアクセスする、項目１００に記載のシステム。
（項目１１９）
上記ミラーリングされたコピーを上記第２のフォーマットにトランスコードし、該トランスコードされ、ミラーリングされたコピーを上記モバイルユーザデバイスに提供する手段は、該ミラーリングされたコピーを該第２のフォーマットにトランスコードし、該トランスコードされ、ミラーリングされたコピーを該モバイルユーザデバイスにリアルタイムで提供する手段を備える、項目１００に記載のシステム。
（項目１２０）
上記メディアコンテンツは、テレビ番組シリーズの録画である、項目１００に記載のシステム。